(57)【要約】【課題】検出対象核種から放射される放射線の計数が目標計数に到達するまでの時間が長くなることを抑制することができる制御装置を提供すること。【解決手段】制御装置は、検出部により検出された放射線を示す信号に基づいて波高分析装置により算出された当該放射線のスペクトルを用いて、検出対象核種から放射された放射線の計数の不確かさを算出する不確かさ算出部と、不確かさ算出部により算出された計数が目標不確かさ以下であるか否かを判定する判定部と、判定部の判定結果に基づいて波高分析装置によるスペクトルの算出を終了させる測定制御部と、を備える。【選択図】図１
2018151213.tif 000002
【特許請求の範囲】
【請求項１】
検出部により検出された放射線を示す信号に基づいて波高分析装置により算出された前記放射線のスペクトルを用いて、検出対象核種から放射された放射線の計数の不確かさを算出する不確かさ算出部と、
前記不確かさ算出部により算出された前記不確かさが目標不確かさ以下であるか否かを判定する判定部と、
前記判定部の判定結果に基づいて前記波高分析装置による前記スペクトルの算出を終了させる測定制御部と、
を備える制御装置。
【請求項２】
前記不確かさ算出部は、前記不確かさを測定期間内における複数のタイミングにおいて算出し、
前記測定制御部は、前記不確かさが前記目標不確かさ以下であると連続して所定回数前記判定部が判定した場合、前記波高分析装置による前記スペクトルの算出を終了させる、
請求項１に記載の制御装置。
【請求項３】
前記測定制御部は更に、前記測定期間の開始時刻から前記不確かさが前記目標不確かさ以下になると推定される時間に基づく測定時間が経過した場合、前記波高分析装置による前記スペクトルの算出を終了させる、
請求項２に記載の制御装置。
【請求項４】
前記測定制御部は、前記開始時刻から前記測定時間が経過することによって前記波高分析装置による前記スペクトルの算出を終了させた場合、且つ、前記不確かさが前記目標不確かさより大きいと前記判定部が判定した場合、前記波高分析装置による前記スペクトルの算出を再開させる、
請求項３に記載の制御装置。
【請求項５】
前記測定時間は、前記時間よりも長い時間である、
請求項３又は４に記載の制御装置。
【請求項６】
前記計数算出部は、互いに異なる複数の前記検出対象核種を予め受け付け、受け付けた前記複数の前記検出対象核種のそれぞれから放射された放射線毎の前記不確かさを算出し、
前記判定部は、前記複数の前記検出対象核種毎に、前記検出対象核種から放射された放射線の不確かさが、当該放射線に応じた前記目標不確かさ以下であるか否かを判定し、
前記測定制御部は、前記複数の前記検出対象核種それぞれの放射線すべてについて、前記検出対象核種から放射された放射線の不確かさが、当該放射線に応じた前記目標不確かさ以下であると判定部が判定した場合、前記波高分析装置による前記スペクトルの算出を終了させる、
請求項１から５のうちいずれか一項に記載の制御装置。
【請求項７】
請求項１から６のうちいずれか一項に記載の制御装置と、
前記検出部と、
を備える測定システム。
【請求項８】
請求項１から６のうちいずれか一項に記載の制御装置と、
前記検出部と、
前記波高分析装置と、
を備える測定システム。
【請求項９】
外部からの前記検出部への放射線の入射を抑制する遮蔽体を更に備える、
請求項７又は８に記載の測定システム。
【請求項１０】
コンピューターに、
検出部により検出された放射線を示す信号に基づいて波高分析装置により算出された前記放射線のスペクトルを用いて、検出対象核種から放射された放射線の計数の不確かさを算出させる不確かさ算出ステップと、
前記不確かさ算出ステップにより算出された前記不確かさが目標不確かさ以下であるか否かを判定する判定ステップと、
前記判定ステップの判定結果に基づいて前記波高分析装置による前記スペクトルの算出を終了させる測定制御ステップと、
を実行させるプログラム。
【発明の詳細な説明】
【技術分野】
【０００１】
この発明は、制御装置、測定システム、及びプログラムに関する。
【背景技術】
【０００２】
試料から放射される放射線のうちユーザーが所望する特定の核種から放射される放射線が検出器によって検出された計数の算出に係る技術の研究や開発が行われている。
【０００３】
これに関し、例えば特許文献１に示したように、試料から放出される放射線を放射線検出器によって検出し、放射線検出器によって検出された放射線のエネルギースペクトルを自動的に解析し、解析したエネルギースペクトルに基づいて検出対象核種の放射能を算出する放射能測定装置が知られている。
【先行技術文献】
【特許文献】
【０００４】
【特許文献１】特開２０１５−９９０６７号公報
【発明の概要】
【発明が解決しようとする課題】
【０００５】
ここで、このような従来の放射能測定装置は、予備測定によって算出された測定時間内において放射線検出器によって試料から放射される放射線の検出を行う。当該測定時間は、試料から放射される放射線のうち検出対象核種から放射される放射線が放射線検出器によって検出される計数の不確かさ（すなわち、当該計数の統計的ばらつき）が、所定の用途に応じて決められる目標不確かさ以下になると推定される時間である。このため、当該放射能測定装置は、測定時間が経過すると、試料から放射される放射線の放射線検出器による検出を終了させる。しかしながら、検出対象核種から放射される放射線が測定時間内に放射線検出器によって検出される計数の不確かさは、当該放射線の検出を行う毎に統計的な揺らぎの影響によって変化するため、目標不確かさに達しない場合がある。このような場合、当該放射能測定装置は、試料から放射される放射線の放射線検出器による再検出を行わなければならず、その結果、当該計数の不確かさが目標不確かさに到達するまでに要する時間が長くなってしまうことがあった。
【０００６】
そこで本発明は、上記従来技術の問題に鑑みてなされたものであり、検出対象核種から放射される放射線の計数の不確かさが目標不確かさに到達するまでの時間が長くなることを抑制することができる制御装置、測定システム、及びプログラムを提供する。
【課題を解決するための手段】
【０００７】
上記課題を解決して係る目的を達成するために、本発明は以下の態様を採用した。
（１）本発明の一態様に係る制御装置は、検出部により検出された放射線を示す信号に基づいて波高分析装置により算出された前記放射線のスペクトルを用いて、検出対象核種から放射された放射線の計数の不確かさを算出する不確かさ算出部と、前記不確かさ算出部により算出された前記不確かさが目標不確かさ以下であるか否かを判定する判定部と、前記判定部の判定結果に基づいて前記波高分析装置による前記スペクトルの算出を終了させる測定制御部と、を備える。
【０００８】
（２）上記（１）に係る制御装置では、前記不確かさ算出部は、前記不確かさを測定期間内における複数のタイミングにおいて算出し、前記測定制御部は、前記不確かさが前記目標不確かさ以下であると連続して所定回数前記判定部が判定した場合、前記波高分析装置による前記スペクトルの算出を終了させる。
【０００９】
（３）上記（１）又は（２）に係る制御装置では、前記測定制御部は更に、前記測定期間の開始時刻から前記不確かさが前記目標不確かさ以下になると推定される時間に基づく測定時間が経過した場合、前記波高分析装置による前記スペクトルの算出を終了させる。
【００１０】
（４）上記（３）に係る制御装置では、前記測定制御部は、前記開始時刻から前記測定時間が経過することによって前記波高分析装置による前記スペクトルの算出を終了させた場合、且つ、前記不確かさが前記目標不確かさより大きいと前記判定部が判定した場合、前記波高分析装置による前記スペクトルの算出を再開させる。
【００１１】
（５）上記（３）又は（４）に係る制御装置では、前記測定時間は、前記時間よりも長い時間である。
【００１２】
（６）上記（１）から（５）のうちいずれか一つに係る制御装置では、前記不確かさ算出部は、互いに異なる複数の前記検出対象核種を予め受け付け、受け付けた前記複数の前記検出対象核種のそれぞれから放射された放射線毎の前記不確かさを算出し、前記判定部は、前記複数の前記検出対象核種毎に、前記検出対象核種から放射された放射線の計数の不確かさが、当該放射線に応じた前記目標不確かさ以下であるか否かを判定し、前記測定制御部は、前記複数の前記検出対象核種それぞれの放射線すべてについて、前記検出対象核種から放射された放射線の計数の不確かさが、当該放射線に応じた前記目標不確かさ以下であると判定部が判定した場合、前記波高分析装置による前記スペクトルの算出を終了させる。
【００１３】
（７）本発明の一態様に係る測定システムは、上記（１）から（６）のうちいずれか一つに係る制御装置と、前記検出部と、を備える。
【００１４】
（８）本発明の一態様に係る測定システムは、上記（１）から（６）のうちいずれか一つに係る制御装置と、前記検出部と、前記波高分析装置と、を備える。
【００１５】
（９）本発明の一態様に係る測定システムは、上記（７）又は（８）に係る測定システムは、外部からの前記検出部への放射線の入射を抑制する遮蔽体を更に備える。
【００１６】
（１０）本発明の一態様に係るプログラムは、コンピューターに、検出部により検出された放射線を示す信号に基づいて波高分析装置により算出された前記放射線のスペクトルを用いて、検出対象核種から放射された放射線の計数の不確かさを算出させる不確かさ算出ステップと、前記不確かさ算出ステップにより算出された前記不確かさが目標不確かさ以下であるか否かを判定する判定ステップと、前記判定ステップの判定結果に基づいて前記波高分析装置による前記スペクトルの算出を終了させる測定制御ステップと、を実行させる。
【発明の効果】
【００１７】
上記（１）に記載の一態様に係る制御装置は、検出部により検出された放射線を示す信号に基づいて波高分析装置により算出された当該放射線のスペクトルを用いて、検出対象核種から放射された放射線の計数の不確かさを算出し、算出した不確かさが目標不確かさ以下であるか否かを判定し、この判定結果に基づいて波高分析装置によるスペクトルの算出を終了させる。これにより、当該制御装置は、検出対象核種から放射される放射線の計数の不確かさが目標不確かさに到達するまでの時間が長くなることを抑制することができる。
【００１８】
上記（２）に記載の一態様に係る制御装置は、検出対象核種から放射される放射線の計数の不確かさを測定期間内における複数のタイミングにおいて算出し、当該不確かさが目標不確かさ以下であると連続して所定回数判定した場合、波高分析装置によるスペクトルの算出を終了させる。これにより、当該制御装置は、検出対象核種から放射される放射線の計数の不確かさが目標不確かさに到達するまでの時間が長くなることをより確実に抑制することができる。
【００１９】
上記（３）に記載の一態様に係る制御装置は、測定期間の開始時刻から、検出対象核種から放射される放射線の計数の不確かさが目標不確かさ以下になると推定される時間に基づく測定時間が経過した場合、波高分析装置によるスペクトルの算出を終了させる。これにより、当該制御装置は、検出対象核種から放射される放射線の計数の不確かさが何らかの原因によって目標不確かさ以下にならない場合であっても、波高分析装置によるスペクトルの算出を終了させることができる。
【００２０】
上記（４）に記載の一態様に係る制御装置は、測定期間の開始時刻から測定時間が経過することによって波高分析装置によるスペクトルの算出を終了させた場合、且つ、検出対象核種から放射される放射線の計数の不確かさが目標不確かさより大きいと判定した場合、波高分析装置によるスペクトルの算出を再開させる。これにより、当該制御装置は、試料から放射される放射線の再測定に要する手間を軽減することができる。
【００２１】
上記（５）に記載の一態様に係る制御装置は、測定期間の開始時刻から、検出対象核種から放射される放射線の計数の不確かさが目標不確かさ以下になると推定される時間に基づく測定時間であって当該時間よりも長い測定時間が経過した場合、波高分析装置によるスペクトルの算出を終了させる。これにより、当該制御装置は、検出対象核種から放射される放射線の計数の不確かさが何らかの原因によって目標不確かさ以下にならない場合であっても、波高分析装置によるスペクトルの算出を終了させることができる。
【００２２】
上記（６）に記載の一態様に係る制御装置は、互いに異なる複数の検出対象核種を予め受け付け、受け付けた複数の検出対象核種のそれぞれから放射された放射線毎の計数の不確かさを算出し、複数の検出対象核種毎に、検出対象核種から放射された放射線の計数の不確かさが、当該放射線に応じた目標不確かさ以下であるか否かを判定し、複数の検出対象核種それぞれの放射線すべてについて、検出対象核種から放射された放射線の計数の不確かさが、当該放射線に応じた目標不確かさ以下であると判定した場合、波高分析装置によるスペクトルの算出を終了させる。これにより、当該制御装置は、複数の検出対象核種それぞれから放射される放射線のすべてについて放射線の計数の不確かさが目標不確かさに到達するまでの時間が長くなることを抑制することができる。
【００２３】
上記（７）に記載の一態様に係る測定システムは、測定システムが備える検出部により検出された放射線を示す信号に基づいて波高分析装置により算出された当該放射線のスペクトルを用いて、検出対象核種から放射された放射線の計数の不確かさを測定期間内における複数のタイミングにおいて算出し、算出した計数の不確かさが目標不確かさ以下であるか否かを判定し、この判定結果に基づいて波高分析装置によるスペクトルの算出を終了させる。これにより、当該測定システムは、検出対象核種から放射される放射線の計数の不確かさが目標不確かさに到達するまでの時間が長くなることを抑制することができる。
【００２４】
上記（８）に記載の一態様に係る測定システムは、測定システムが備える検出部により検出された放射線を示す信号に基づいて、測定システムが備える波高分析装置により算出された当該放射線のスペクトルを用いて、検出対象核種から放射された放射線の計数の不確かさを測定期間内における複数のタイミングにおいて算出し、算出した計数の不確かさが目標不確かさ以下であるか否かを判定し、この判定結果に基づいて波高分析装置によるスペクトルの算出を終了させる。これにより、当該測定システムは、検出対象核種から放射される放射線の計数の不確かさが目標不確かさに到達するまでの時間が長くなることを抑制することができる。
【００２５】
上記（９）に記載の一態様に係る測定システムは、外部からの検出部への放射線の入射を抑制する。これにより、当該測定システムは、検出対象核種から放射される放射線の計数のバックグラウンドによる統計的な結果のばらつきを小さくすることができる。
【００２６】
上記（１０）に記載の一態様に係るプログラムは、コンピューターに、検出部により検出された放射線を示す信号に基づいて波高分析装置により算出された当該放射線のスペクトルを用いて、検出対象核種から放射された放射線の計数の不確かさを算出させ、算出させた当該不確かさが目標不確かさ以下であるか否かを判定させ、この判定結果に基づいて波高分析装置によるスペクトルの算出を終了させる。これにより、当該プログラムは、検出対象核種から放射される放射線の計数の不確かさが目標不確かさに到達するまでの時間が長くなることを抑制することができる。
【図面の簡単な説明】
【００２７】
【図１】本実施形態に係る測定システム１の構成の一例を示す図である。
【図２】制御装置４が表示部４５に表示させる画面のうち制御装置４がユーザーからの操作を受け付ける操作画面の一例を示す図である。
【図３】目標不確かさ設定画面の一例を示す図である。
【図４】測定条件設定画面の一例を示す図である。
【図５】検出対象核種から放射される放射線の計数とともに当該計数の不確かさを制御装置４が算出する処理の流れの一例を示す図である。
【図６】ステップＳ２００において表示部４５に表示される表の一例を示す図である。
【図７】制御装置４が試料から放射される各種の放射線の再測定を行う処理の流れの一例を示す図である。
【発明を実施するための形態】
【００２８】
＜実施形態＞
以下、本発明の実施形態に係る測定システム１について、図面を参照して説明する。図１は、本実施形態に係る測定システム１の構成の一例を示す図である。測定システム１は、検出部２と、波高分析装置３と、制御装置４を備える。なお、測定システム１は、これらに加えて、他の装置を備える構成であってもよい。また、測定システム１では、検出部２と、波高分析装置３と、制御装置４の一部又は全部が一体に構成されてもよい。なお、本実施形態では、アナログ信号をデジタル信号へ変換する処理は、検出部２、波高分析装置３、制御装置４のうちの一部又は全部が行ってもよく、既知の方法で行ってもよく、これから開発される方法で行ってもよいため、説明を省略する。
【００２９】
＜測定システムの概要＞
まず、測定システム１の概要について説明する。
測定システム１は、試料から放射された各種の放射線の測定を行う。具体的には、測定システム１は、当該各種の放射線を検出し、検出した当該各種の放射線のスペクトルを算出する。また、測定システム１は、算出した当該スペクトルに基づく分析を行う。具体的には、測定システム１は、当該スペクトルに基づいて、検出対象核種から放射された放射線の計数とともに、当該計数の不確かさを算出（測定）する。当該計数の不確かさとは、この一例において、当該計数の統計的ばらつきのことである。当該計数の不確かさを算出する方法は、既知の方法であってもよく、これから開発される方法であってもよい。
【００３０】
ここで、前述の試料は、１以上の放射性核種を含む物体のことである。また、試料から放射された各種の放射線は、本実施形態において、試料に含まれる１以上の放射性核種のそれぞれから放射される放射線のことであり、放射線の種類（例えば、アルファ線、ベータ線、ガンマ線等）と放射線のエネルギーとの組み合わせによって区別される。検出対象核種は、測定システム１がユーザーから予め受け付けた核種のことであり、測定システム１が計数を算出する対象となる放射線を放射する核種のことである。検出対象核種から放射された放射線の計数は、当該放射線が検出部２によって検出された回数のことである。
【００３１】
より具体的には、測定システム１は、ユーザーから受け付けた操作に基づいて、試料から放射される各種の放射線の検出を開始する。そして、測定システム１は、当該操作を受け付けた時刻である開始時刻から予め決められた測定時間が経過するまでの間である測定期間において、検出部２により当該各種の放射線の検出を行う。ここで、当該開始時刻は、検出部２が放射線の検出を開始する時刻よりも前の時刻であってもよく、ほぼ同じ時刻であってもよい。以下では、当該開始時刻と当該時刻の差分を待機時間と称して説明する。測定システム１は、待機時間をユーザーから受け付け、受け付けた待機時間に基づいて検出部２による放射線の検出を開始する。
【００３２】
また、検出部２は、検出部２により検出された各種の放射線それぞれを示す信号を波高分析装置３に出力する。波高分析装置３は、検出部２から当該信号を取得する。また、波高分析装置３は、取得した複数の当該信号を用いて、検出部２が検出した放射線のスペクトルを測定期間内における複数のタイミングにおいて算出する。当該スペクトルは、当該放射線のエネルギースペクトルのことである。以下では、当該複数のタイミングは、測定期間の開始時刻から待機時間が経過した時刻と測定期間の終了時刻との間の時間を所定数に等分割するタイミングである場合について説明する。このため、以下では、説明の便宜上、当該複数のタイミングのうちのあるタイミングと当該タイミングの次のタイミングとの間の時間のことを、モニター間隔と称して説明する。モニター間隔は、例えば、６０秒であるが、６０秒より短い時間であってもよく、６０秒より長い時間であってもよい。なお、当該複数のタイミングは、これに代えて、測定期間の開始時刻から待機時間が経過した時刻と測定期間の終了時刻との間の時間内における複数のランダムなタイミングであってもよく、当該時間に基づく複数の他のタイミングであってもよい。また、波高分析装置３は、取得した複数の当該信号を用いて、検出部２が検出した放射線のスペクトルを測定期間内におけるある１つのタイミングにおいて算出する構成であってもよい。波高分析装置３は、算出したスペクトルを示す情報を制御装置４に出力する。制御装置４は、波高分析装置３から当該情報を取得する。制御装置４は、取得した当該情報に基づいて、ユーザーから受け付けた１以上の検出対象核種それぞれから放射された放射線の計数のそれぞれとともに、当該計数それぞれの不確かさを算出する。制御装置４は、当該１以上の検出対象核種毎に、算出した検出対象核種から放射された放射線の計数に基づく処理を行う。当該処理は、例えば、検出対象核種の放射能を算出する処理である。なお、当該処理は、検出対象核種の放射能を算出する処理に代えて、当該計数に基づく他の処理であってもよい。
【００３３】
ここで、測定システム１と異なる測定システムＸ（例えば、従来の測定システム）では、予備測定によって測定時間が予め算出される。このため、測定システムＸでは、放射線の検出を開始する操作をユーザーから受け付けた時刻から当該測定時間が経過した場合、試料から放射された各種の放射線の測定（すなわち、後述するスペクトルの収集）を終了する。具体的には、測定システムＸは、検出部２による放射線の検出、及び波高分析装置３によるスペクトルの算出を終了し、当該各種の放射線の検出を終了する。しかし、検出対象核種から放射される放射線が測定時間内に放射線検出器によって検出される計数の不確かさは、当該放射線の検出を行う毎に統計的な揺らぎの影響によって変化するため、目標不確かさに達しない場合がある。その結果、測定システムＸは、試料から放射される各種の放射線の再測定を行わなければならない場合があった。
【００３４】
この問題を解決するため、測定システム１は、検出部２により検出された放射線を示す信号に基づいて波高分析装置３により算出された放射線のスペクトルを用いて、検出対象核種から放射された放射線の計数とともに当該計数の不確かさを算出する。測定システム１は、算出した計数の不確かさが目標不確かさ以下であるか否かを判定する。そして、測定システム１は、この判定結果に基づいて、試料から放射される放射線の測定を終了させる。これにより、測定システム１は、検出対象核種から放射される放射線の計数の不確かさが目標不確かさ以下に到達するまでの時間が長くなることを抑制することができる。以下では、測定システム１が検出対象核種から放射される放射線の計数とともに当該計数の不確かさを算出する処理について詳しく説明する。また、以下では、一例として、測定システム１が当該判定結果に基づいて、波高分析装置３によるスペクトルの算出を終了し、当該測定を終了させる場合について説明する。なお、測定システム１は、測定システム１が当該判定結果に基づいて、検出部２による放射線の検出を終了し、当該測定を終了させる構成であってもよく、測定システム１が当該判定結果に基づいて、当該検出及び当該算出の両方を終了し、当該測定を終了させる構成であってもよい。
【００３５】
＜測定システムの構成＞
以下、図１を参照し、測定システム１の構成について説明する。
【００３６】
検出部２は、例えば、ゲルマニウム等の半導体検出器であり、試料から放射される各種の放射線のうち少なくともガンマ線、Ｘ線を検出する。なお、検出部２は、ガンマ線、エックス線に加えて、他の放射線を検出可能な検出器であってもよく、ガンマ線、エックス線のいずれか一方又は両方に代えて、他の放射線を検出可能な検出器であってもよい。すなわち、検出部２は、半導体検出器に代えて、ＧＭ（ガイガー・ミュラー）計数管、シンチレーションカウンター等の他の放射線検出器であってもよい。なお、検出部２は、試料から放射される放射線以外の放射線（外部からの放射線）の検出器２への入射を遮蔽する遮蔽体に囲まれてもよく、当該遮蔽体に囲まれていなくてもよい。当該遮蔽体は、例えば、鉛によって形成された遮蔽体である。なお、当該遮蔽体は、鉛に代えて、他の物質によって形成される構成であってもよい。
【００３７】
波高分析装置３は、例えば、マルチチャンネルアナライザーである。波高分析装置３は、検出部２が検出した放射線を示す信号を検出部２から取得する。波高分析装置３は、取得した当該信号の波高分布、すなわち、波高値に応じて設定された複数のチャンネル毎の計数値を算出する。例えば、試料から放出された放射線のエネルギーに応じた波高値を有する信号を検出部２から取得すると、波高分析装置３は、取得した信号の波高分布として、前述のスペクトルを生成する。波高分析装置３が検出部２から当該信号を取得し、取得した当該信号に基づいて当該スペクトルを生成する処理は、波高分析装置３によるスペクトルの収集と称されることがある。すなわち、波高分析装置３は、スペクトルを収集する。なお、当該スペクトルのビンは、当該複数のチャンネルのそれぞれに対応している。なお、波高分析装置３は、シングルチャンネルアナライザー等の検出部２が検出した放射線を示す信号に基づく計数を算出する他の分析装置であってもよい。
【００３８】
制御装置４は、例えば、ワークステーション、デスクトップＰＣ（Personal  Computer）、ノートＰＣ、タブレットＰＣ、多機能携帯電話（スマートフォン）、ＰＤＡ（Personal  Digital  Assistant）等である。制御装置４は、測定システム１の全体を制御する。制御装置４は、図示しないＣＰＵと、記憶部４２と、入力受付部４３と、通信部４４と、表示部４５と、制御部４６を備える。
【００３９】
制御装置４が備える図示しないＣＰＵは、記憶部４２に格納された各種プログラムを実行する。
【００４０】
記憶部４２は、例えば、ＨＤＤ（Hard  Disk  Drive）やＳＳＤ（Solid  State  Drive）、ＥＥＰＲＯＭ（Electrically  Erasable  Programmable  Read−Only  Memory）、ＲＯＭ（Read−Only  Memory）、ＲＡＭ（Random  Access  Memory）等を含む。なお、記憶部４２は、制御装置４に内蔵されるものに代えて、ＵＳＢ等のデジタル入出力ポート等によって接続された外付け型の記憶装置であってもよい。記憶部４２は、制御装置４が処理する各種の情報、各種の画像、各種のプログラム等を格納する。
【００４１】
入力受付部４３は、例えば、キーボードやマウス、タッチパッド、その他の入力装置である。なお、入力受付部４３は、表示部４５と一体に構成されたタッチパネルであってもよい。また、この一例において、入力受付部４３は、制御装置４と一体に構成されているが、これに代えて、制御装置４と別体に構成されてもよい。この場合、入力受付部４３は、有線又は無線によって制御装置４と通信可能に接続される。
【００４２】
通信部４４は、例えば、ＵＳＢ等のデジタル入出力ポートやイーサネット（登録商標）ポート等を含んで構成される。
【００４３】
表示部４５は、例えば、液晶ディスプレイパネル、あるいは、有機ＥＬ（ElectroLuminescence）ディスプレイパネルである。なお、この一例において、表示部４５は、制御装置４と一体に構成されているが、これに代えて、制御装置４と別体に構成されてもよい。この場合、表示部４５は、有線又は無線によって制御装置４と通信可能に接続される。
【００４４】
制御部４６は、表示制御部４６１と、設定受付部４６２と、スペクトル取得部４６３と、計数算出部４６５と、不確かさ算出部４６６と、判定部４６７と、測定制御部４６９を備える。制御部４６が備えるこれらの機能部は、例えば、前述のＣＰＵが、記憶部４２に記憶された各種プログラムを実行することにより実現される。また、当該機能部のうちの一部又は全部は、ＬＳＩ（Large  Scale  Integration）やＡＳＩＣ（Application  Specific  Integrated  Circuit）等のハードウェア機能部であってもよい。
【００４５】
表示制御部４６１は、ユーザーから受け付けた操作に基づいて、制御装置４がユーザーからの操作を受け付ける操作画面を含む各種の画面を生成する。表示制御部４６１は、生成した各種の画面を表示部４５に表示させる。
【００４６】
設定受付部４６２は、表示制御部４６１が表示部４５に表示させた各種の画面の少なくとも一部の画面を介して、制御部４６が備える各機能部に設定される各種の設定をユーザーから受け付ける。
【００４７】
スペクトル取得部４６３は、波高分析装置３が算出したスペクトルを示す情報を波高分析装置３から取得する。スペクトル取得部４６３は、ユーザーにより予め記憶された情報であって波高分析装置３が有する複数のチャンネルそれぞれとエネルギーとの対応関係を示す対応関係情報に基づいて、取得した情報が示すスペクトルが有する複数のビンであって当該複数のチャンネルのそれぞれを示すビンを、エネルギーを示すビンに変換する。なお、以下では、説明の便宜上、このようなスペクトル取得部４６３によるビンの変換処理についての説明を省略する。
【００４８】
計数算出部４６５は、スペクトル取得部４６３が取得した情報が示すスペクトルを用いて、検出対象核種から放射された放射線の計数を算出する。
【００４９】
不確かさ算出部４６６は、計数算出部が算出した計数の不確かさを算出する。
【００５０】
判定部４６７は、不確かさ算出部４６６により算出された不確かさが、目標不確かさ以下であるか否かを判定する。
【００５１】
測定制御部４６９は、判定部４６７の判定結果に基づいて、試料から放射される各種の放射線の測定を終了させる。この一例では、測定制御部４６９は、当該判定結果に基づいて波高分析装置３によるスペクトルの算出を終了させる。
【００５２】
＜制御装置が表示部に表示させる各種の画面の具体例＞
以下、図２〜図４を参照し、制御装置４が表示部４５に表示させる各種の画面の具体例について説明する。なお、以下において説明する各種の画面の構成は、一例に過ぎず、任意の変更が加えられた構成であってもよい。また、制御装置４は、以下において説明する各種の画面と異なる１以上の画面を表示部４５に表示させる構成であってもよい。
【００５３】
図２は、制御装置４が表示部４５に表示させる画面のうち制御装置４がユーザーからの操作を受け付ける操作画面の一例を示す図である。図２に示した画面３１は、操作画面の一例である。この一例において、画面３１には、ボタン３２ａとボタン３２ｂとを含む切替タブ３２が含まれている。ボタン３２ａは、画面３１に代えて、目標不確かさを設定する画面である目標不確かさ設定画面を表示させるボタンである。ボタン３２ｂは、画面３１に代えて、測定システム１による放射線の測定に関する各種の条件である測定条件を設定する測定条件設定画面を表示させるボタンである。なお、画面３１には、これらのＧＵＩ（Graphical  User  Interface）に加えて、他のＧＵＩが含まれる構成であってもよく、これらのＧＵＩに代えて、他のＧＵＩが含まれる構成であってもよい。
【００５４】
表示制御部４６１は、ユーザーからボタン３２ａを選択する操作（例えば、クリック、タップ等）を受け付けた場合、画面３１に代えて、目標不確かさ設定画面を表示させる（画面３１から当該画面に切り替える）。また、表示制御部４６１は、ユーザーからボタン３２ｂを選択する操作（例えば、クリック、タップ等）を受け付けた場合、画面３１に代えて、測定条件設定画面を表示させる（画面３１から当該画面に切り替える）。
【００５５】
図３は、目標不確かさ設定画面の一例を示す図である。すなわち、図３に示した画面３３は、目標不確かさ設定画面の一例である。この一例において、画面３３には、ボタン３４ａとボタン３４ｂとを含む切替タブ３４と、画面３６と、画面３７が含まれている。なお、画面３３には、これらのＧＵＩに加えて、他のＧＵＩが含まれる構成であってもよく、これらのＧＵＩに代えて、他のＧＵＩが含まれる構成であってもよい。
【００５６】
ボタン３４ａは、検出対象核種を受け付ける（登録する）ボタンである。表示制御部４６１は、ユーザーからボタン３４ａを選択する操作（例えば、クリック、タップ等）を受け付けた場合、例えば、予め記憶部４２に記憶された核種の一覧を示す情報を記憶部４２から読み出す。当該核種は、放射性核種のことである。そして、表示制御部４６１は、読み出した当該情報に基づいて、核種の一覧を表示させる画面を画面３３の上に重ねて表示させる。当該画面では、ユーザーは、当該画面に表示された当該一覧の中から１以上の所望の核種を１以上の検出対象核種として選択することができる。ユーザーが当該画面において１以上の核種を選択した場合、設定受付部４６２は、ユーザーにより選択された当該１以上の核種のそれぞれを検出対象核種として受け付ける。また、当該場合、表示制御部４６１は、当該画面を削除し、設定受付部４６２により受け付けられた１以上の検出対象核種により放射される放射線を示す情報である検出対象放射線情報を画面３６に表示させる。ある検出対象核種により放射される放射線を示す検出対象放射線情報は、当該検出対象核種を示す検出対象核種情報と、当該放射線のエネルギーを示すエネルギー情報とを含む情報である。当該検出対象核種情報は、例えば、当該検出対象核種を示す記号、数値、文字列等である。また、当該エネルギー情報は、当該エネルギーを示す数値、記号、文字列等である。なお、ユーザーにより選択された１以上の核種のうちの一部の核種がコバルト５７、コバルト６０等のように互いに異なるエネルギーを有する複数の放射線を放射する核種である場合、表示制御部４６１は、図３に示したように、当該核種のそれぞれについて、当該核種により放射される当該複数の放射線のそれぞれを示す検出対象放射線情報を画面３６に表示させる。また、当該検出対象放射線情報は、当該エネルギー情報に変えて、当該放射線が検出されたチャンネルを示すチャンネル情報を含む情報であってもよい。また、当該検出対象放射線情報は、当該検出対象核種情報と、当該エネルギー情報と、当該チャンネル情報とのうちの一部の組み合わせを含む情報であってもよい。
【００５７】
ボタン３４ｂは、設定受付部４６２により検出対象核種として受け付けられた１以上の核種のうちの一部又は全部を検出対象核種から外す（キャンセルする）ボタンである。表示制御部４６１は、ユーザーからボタン３４ｂを選択する操作（例えば、クリック、タップ等）を受け付けた場合、例えば、設定受付部４６２により検出対象核種として受け付けられた１以上の核種の一覧を表示させる画面を画面３３の上に重ねて表示させる。当該画面では、ユーザーは、当該画面に表示された当該一覧の中から１以上の核種を選択することができる。ユーザーが当該画面において１以上の核種を選択した場合、設定受付部４６２は、ユーザーにより選択された当該１以上の核種を検出対象核種から外す。また、当該場合、表示制御部４６１は、当該画面を削除し、設定受付部４６２により検出対象核種から外された核種により放射される放射線を示す検出対象放射線情報を画面３６から削除する。
【００５８】
画面３６は、上記において説明した通り、画面３６に表示された１以上の検出対象放射線情報のそれぞれが示す放射線毎の目標不確かさを受け付ける（設定する）画面である。ある放射線の目標不確かさは、当該放射線の計数の不確かさに対する目標不確かさのことである。図３に示したように、画面３６には、画面３６に表示された１以上の検出対象放射線情報のそれぞれに対応する入力欄が表示されている。画面３６に表示された入力欄のそれぞれは、それぞれの入力欄に対応する検出対象放射線情報が示す放射線の目標不確かさを入力する欄である。すなわち、ユーザーは、ある検出対象放射線情報に対応する入力欄に、当該検出対象放射線情報が示す放射線の目標不確かさを入力することができる。設定受付部４６２は、画面３６に表示されたある入力欄にある値が入力された場合、当該入力欄に入力された当該値を、当該入力欄に対応する検出対象放射線情報が示す放射線の目標不確かさとして受け付ける。
【００５９】
図３には、コバルト５７とコバルト６０のそれぞれが検出対象核種として選択された場合の画面３６の一例が示されている。ここで、コバルト５７は、１２２．０５ｋｅＶの放射線と、１３６．４７ｋｅＶの放射線とのそれぞれを放射する。また、コバルト６０は、１１７３．２１ｋｅＶの放射線と、１３３２．４７ｋｅＶの放射線とのそれぞれを放射する。このため、画面３６には、「Ｃｏ−５７（１２２．０５ｋｅＶ）」という検出対象放射線情報と、「Ｃｏ−５７（１３６．４７ｋｅＶ）」という検出対象放射線情報と、「Ｃｏ−６０（１１７３．２１ｋｅＶ）」という検出対象放射線情報と、「Ｃｏ−６０（１３３２．４７ｋｅＶ）」という検出対象放射線情報との４つの検出対象放射線情報が表示されている。ここで、「Ｃｏ−５７」は、コバルト５７を示す検出対象核種情報である。また、「Ｃｏ−６０」は、コバルト６０を示す検出対象核種情報である。また、「（１２２．０５ｋｅＶ）」と、「（１３６．４７ｋｅＶ）」と、「（１１７３．２１ｋｅＶ）」と、「（１３３２．４７ｋｅＶ）」とのそれぞれは、エネルギー情報である。
【００６０】
また、図３に示した画面３６では、「Ｃｏ−５７（１２２．０５ｋｅＶ）」という検出対象放射線情報に対応する入力欄には、ユーザーから「１．０」という値が入力されている。すなわち、ユーザーは、コバルト５７から放射された１２２．０５ｋｅＶの放射線の計数の不確かさに対する目標不確かさを１．０％に設定する場合、当該入力欄に「１．０」という値を入力する。当該入力欄に値が入力された場合、設定受付部４６２は、当該値を、当該入力欄に対応する検出対象放射線情報が示す放射線の目標不確かさとして受け付ける。すなわち、図３に示した例では、設定受付部４６２は、コバルト５７から放射された１２２．０５ｋｅＶの放射線の目標不確かさとして１．０％を受け付ける。
【００６１】
また、画面３６では、「Ｃｏ−５７（１３６．４７ｋｅＶ）」という検出対象放射線情報に対応する入力欄には、ユーザーから「１．０」という値が入力されている。すなわち、ユーザーは、コバルト５７から放射された１３６．４７ｋｅＶの放射線の計数の不確かさに対する目標不確かさを１．０％に設定する場合、当該入力欄に「１．０」という値を入力する。当該入力欄に値が入力された場合、設定受付部４６２は、当該値を、当該入力欄に対応する検出対象放射線情報が示す放射線の目標不確かさとして受け付ける。すなわち、図３に示した例では、設定受付部４６２は、コバルト５７から放射された１３６．４７ｋｅＶの放射線の目標不確かさとして１．０％を受け付ける。
【００６２】
また、画面３６では、「Ｃｏ−６０（１１７３．２１ｋｅＶ）」という検出対象放射線情報に対応する入力欄には、ユーザーから「１．０」という値が入力されている。すなわち、ユーザーは、コバルト６０から放射された１１７３．２１ｋｅＶの放射線の計数の不確かさに対する目標不確かさを１．０％に設定する場合、当該入力欄に「１．０」という値を入力する。当該入力欄に値が入力された場合、設定受付部４６２は、当該値を、当該入力欄に対応する検出対象放射線情報が示す放射線の目標不確かさとして受け付ける。すなわち、図３に示した例では、設定受付部４６２は、コバルト６０から放射された１１７３．２１ｋｅＶの放射線の目標不確かさとして１．０％を受け付ける。
【００６３】
また、画面３６では、「Ｃｏ−６０（１３３２．４７ｋｅＶ）」という検出対象放射線情報に対応する入力欄には、ユーザーから「１．０」という値が入力されている。すなわち、ユーザーは、コバルト６０から放射された１３３２．４７ｋｅＶの放射線の計数の不確かさに対する目標計数を１．０％に設定する場合、当該入力欄に「１．０」という値を入力する。当該入力欄に値が入力された場合、設定受付部４６２は、当該値を、当該入力欄に対応する検出対象放射線情報が示す放射線の目標不確かさとして受け付ける。すなわち、図３に示した例では、設定受付部４６２は、コバルト６０から放射された１３３２．４７ｋｅＶの放射線の目標不確かさとして１．０％を受け付ける。
【００６４】
画面３７は、例えば、前述の待機時間、前述のモニター間隔、及び連続判定回数目標値（図３では、到達回数と表記）等を受け付ける画面である。画面３７には、待機時間を入力する入力欄である待機時間入力欄と、モニター間隔を入力する入力欄であるモニター間隔入力欄と、連続判定回数目標値を入力する連続判定回数目標値入力欄が含まれている。連続判定回数目標値は、判定部４６７による判定に関する値である。連続判定回数目標値の詳細については、後述する。なお、画面３７は、これらの情報に加えて、他の情報を受け付ける構成であってもよい。ユーザーが待機時間入力欄に値を入力した場合、設定受付部４６２は、ユーザーにより入力された当該値を待機時間として受け付ける。また、ユーザーがモニター間隔入力欄に値を入力した場合、設定受付部４６２は、ユーザーにより入力された当該値をモニター間隔として受け付ける。また、ユーザーが連続判定回数目標値入力欄に値を入力した場合、設定受付部４６２は、ユーザーにより入力された当該値を連続判定回数目標値として受け付ける。
【００６５】
図４は、測定条件設定画面の一例を示す図である。すなわち、図４に示した画面３８は、測定条件設定画面の一例である。この一例において、画面３８には、画面４０が含まれている。なお、画面３８には、画面４０に加えて、他のＧＵＩが含まれる構成であってもよく、画面４０に代えて、他のＧＵＩが含まれる構成であってもよい。画面４０は、判定部４６７による判定の有無を示す情報を受け付ける画面である。図４に示した例では、画面４０には、「目標不確かさを設定する」という文字列に対応付けられたチェックボックスが表示されている。ユーザーから当該チェックボックスを選択する操作（例えば、クリック、タップ等）を受け付けた場合、設定受付部４６２は、判定部４６７による判定を有効にする。一方、ユーザーから当該チェックボックスを選択する操作（例えば、クリック、タップ等）を受け付けていない場合、設定受付部４６２は、判定部４６７による判定を無効にする。
【００６６】
＜検出対象核種から放射される放射線の計数とともに当該計数の不確かさを制御装置が算出する処理＞
以下、図５を参照し、検出対象核種から放射される放射線の計数とともに当該計数の不確かさを制御装置４が算出する処理について説明する。図５は、検出対象核種から放射される放射線の計数とともに当該計数の不確かさを制御装置４が算出する処理の流れの一例を示す図である。なお、以下では、前述した目標不確かさ設定画面においてユーザーから、１以上の検出対象核種と、１以上の検出対象核種のそれぞれにより放射される放射線毎の目標不確かさとが設定受付部４６２により予め受け付けられている場合について説明する。また、以下では、設定受付部４６２により判定部４６７による判定が予め有効にされている場合について説明する。
【００６７】
設定受付部４６２は、ユーザーから予め受け付けた１以上の検出対象核種毎に、ステップＳ１２０の処理を繰り返し行う（ステップＳ１１０）。
【００６８】
設定受付部４６２は、ステップＳ１１０において選択された検出対象核種から放射される放射線の目標不確かさを予め受け付けているか否かを判定する（ステップＳ１２０）。ここで、ステップＳ１２０において設定受付部４６２は、ステップＳ１１０において選択された検出対象核種から互いに異なるエネルギーを有する複数の放射線が放射される場合、当該複数の放射線のそれぞれについての目標不確かさをすべて予め受け付けていることによって、当該検出対象核種から放射される放射線の目標不確かさを予め受け付けていると判定する。ステップＳ１１０において選択された検出対象核種から放射される放射線の目標不確かさを予め受け付けていないと設定受付部４６２が判定した場合（ステップＳ１２０−ＮＯ）、制御部４６は、処理を終了する。一方、ステップＳ１１０において選択された検出対象核種から放射される放射線の目標不確かさを予め受け付けていると判定した場合（ステップＳ１２０−ＹＥＳ）、設定受付部４６２は、ステップＳ１１０に遷移し、次の未選択の検出対象核種を選択する。なお、ステップＳ１１０において未選択の検出対象核種が存在しない場合、設定受付部４６２は、ステップＳ１３０に遷移する。
【００６９】
ステップＳ１３０において、設定受付部４６２は、連続判定回数目標値を予め受け付けているか否かを判定する（ステップＳ１３０）。ここで、連続判定回数目標値について説明する。例えば、ユーザーにより選択された検出対象核種が１つの場合、測定制御部４６９は、不確かさ算出部４６６により算出された不確かさが目標不確かさ以下であると連続して所定回数判定部４６７が判定した場合、波高分析装置３によるスペクトルの算出を終了させる。この所定回数が、連続判定回数目標値のことである。以下では、一例として、連続判定回数目標値が５回である場合について説明する。なお、連続判定回数目標値は、５回より少ない回数であってもよく、５回より多い回数であってもよい。一方、ユーザーにより選択された検出対象核種が複数の場合、測定制御部４６９は、複数の検出対象核種それぞれから放射される放射線のすべてについて、放射線の計数の不確かさが当該放射線の目標不確かさ以下であると連続して所定回数（すなわち、連続判定回数目標値）判定部４６７が判定した場合、波高分析装置３によるスペクトルの算出を終了させる。例えば、ある２つの検出対象核種である検出対象核種Ａから放射される放射線の計数の不確かさと検出対象核種Ｂから放射される放射線の計数の不確かさとのそれぞれについての判定部４６７による判定結果が、以下の表１に示した判定結果であった場合、測定制御部４６９は、９回目の判定部４６７による判定が終了した際、波高分析装置３によるスペクトルの算出を終了させる。これは、９回目の判定部４６７による判定結果では、検出対象核種Ａから放射される放射線の計数の不確かさが目標不確かさに連続して５回到達しているとともに、検出対象核種Ｂから放射される放射線の計数の不確かさが目標不確かさに連続して５回到達しているためである。
【００７０】
【表１】
2018151213.tif 000003
【００７１】
ステップＳ１３０において連続判定回数目標値を予め受け付けていないと設定受付部４６２が判定した場合（ステップＳ１３０−ＮＯ）、制御部４６は、処理を終了する。一方、連続判定回数目標値を予め受け付けていると設定受付部４６２が判定した場合（ステップＳ１３０−ＹＥＳ）、判定部４６７は、記憶部４２に予め記憶された連続判定回数を示す変数を０に初期化する（ステップＳ１４０）。次に、測定制御部４６９は、測定システム１による放射線の測定を開始する操作を予め受け付けているか否かを判定する（ステップＳ１５０）。当該操作を予め受け付けていないと測定制御部４６９が判定した場合（ステップＳ１５０−ＮＯ）、制御部４６は、処理を終了する。一方、当該操作を予め受け付けていると判定した場合（ステップＳ１５０−ＹＥＳ）、測定制御部４６９は、当該操作を受け付けた時刻、すなわち前述の測定期間の開始時刻から、目標不確かさ設定画面を介して設定受付部４６２がユーザーから受け付けた待機時間が経過するまで待機する（ステップＳ１６０）。当該開始時刻から当該待機時間が経過した場合（ステップＳ１６０−ＹＥＳ）、測定制御部４６９は、波高分析装置３によるスペクトルの算出を開始させる（ステップＳ１７０）。具体的には、ステップＳ１７０において、測定制御部４６９は、当該開始時刻から当該待機時間が経過した時刻において、検出部２により検出された放射線の信号であって試料から放射された各種の放射線それぞれを示す信号の波高分析装置３による取得を開始させる。ここで、検出部２は、放射線を検出する毎に、検出した放射線を示す信号を波高分析装置３に出力する。このため、当該信号の波高分析装置３による取得は、ステップＳ２４０において測定制御部４６９が波高分析装置３によるスペクトルの算出を終了させるまで継続して行われる。そして、測定制御部４６９は、当該開始時刻から当該待機時間が経過した時刻からモニター間隔が経過すると、現在の時刻までに検出部２から取得した複数の信号に基づいて波高分析装置３にスペクトルを算出させる（ステップＳ１７０）。波高分析装置３は、算出したスペクトルを示す情報を制御装置４に出力する。スペクトル取得部４６３は、波高分析装置３から当該情報を取得する。
【００７２】
次に、不確かさ算出部４６５は、ユーザーから予め受け付けた１以上の検出対象核種毎に、ステップＳ１９０の処理を繰り返し行う（ステップＳ１８０）。
【００７３】
計数算出部４６５は、ステップＳ１７０においてスペクトル取得部４６３が取得した情報が示すスペクトルに基づいて、ステップＳ１８０において選択された検出対象核種から放射される放射線の計数を算出する（ステップＳ１９０）。ここで、ステップＳ１９０において計数算出部４６５は、ステップＳ１８０において選択された検出対象核種から互いに異なるエネルギーを有する複数の放射線が放射される場合、当該複数の放射線のそれぞれについての計数を算出する。
【００７４】
ステップＳ１９０において、計数算出部４６５は、ステップＳ１７０においてスペクトル取得部４６３が取得した情報が示すスペクトルに含まれる部分のうち、ステップＳ１８０において選択された検出対象核種から放射される放射線のエネルギーに応じた部分であるピーク領域（換言すると、ピークが現れる部分を含む領域）と、ピークより低いエネルギー側に正味計数を求めるための第１のベース領域と、ピークより高いエネルギー側に正味計数を求めるための第２のベース領域とを含む領域をＲＯＩ（Region  Of  Interest）領域として特定する。当該エネルギーに応じた部分は、例えば、当該エネルギーを中心値とした所定範囲に含まれる部分のことである。所定範囲は、例えば、当該エネルギーの±１０％の範囲であるが、これに代えて、他の範囲であってもよい。また、計数算出部４６５は、当該検出対象核種から互いに異なるエネルギーを有する複数の放射線が放射される場合、当該複数の放射線それぞれのエネルギーに応じた部分をＲＯＩ領域として特定する。特定した１以上のＲＯＩ領域のそれぞれに対応する放射線の計数を計数算出部４６５が算出する方法は、既知の方法であってもよく、これから開発される方法であってもよい。例えば、計数算出部４６５は、特定した１以上のＲＯＩ領域毎に、ＲＯＩ領域に対応する放射線の計数を前述のピーク領域と、第１のベース領域と、第２のベース領域とのそれぞれの計数を用いてコベル法によって算出する。具体的には、計数算出部４６５は、特定した１以上のＲＯＩ領域毎に、ＲＯＩ領域に含まれるスペクトルの面積から、ＲＯＩ領域におけるバックグラウンドを表す部分の面積を差し引いた値（すなわち、ネットカウント（正味の計数））を、ＲＯＩ領域に対応する放射線の計数として算出する。なお、計数算出部４６５は、当該計数をコベル法によって算出する構成に代えて、ＲＯＩ領域に含まれるスペクトルの形状に何らかの関数（例えば、正規分布関数等）をフィッティングさせ、フィッティングさせた関数であってＲＯＩ領域における関数の正味の面積を当該計数として算出する構成であってもよい。
【００７５】
ステップＳ１９０の処理が行われた後、不確かさ算出部４６６は、ステップＳ１９０において計数算出部４６５が算出した計数の不確かさを算出する（ステップＳ１９５）。ステップＳ１９５において算出部４６６が当該不確かさを算出する方法は、例えば、日本分析センターから発行されている「放射能測定法シリーズ７  ゲルマニウム半導体検出器によるガンマ線スペクトロメトリー」（平成４年改訂  文部科学省科学技術・学術政策局）の１３７〜１４０ページに記載された方法である。この場合、当該不確かさは、当該計数の標準偏差である。なお、当該不確かさは、当該標準偏差に代えて、当該計数の統計的ばらつきを表す他の値であってもよい。
【００７６】
ステップＳ１７０〜ステップＳ１９５の繰り返し処理が行われた後、表示制御部４６１は、計数算出部４６５により算出された計数であってユーザーから予め受け付けた１以上の検出対象核種のそれぞれにより放射される放射線の計数とともに不確かさ算出部４６６により算出された当該計数の不確かさを表示部４５に表示させる（ステップＳ２００）。例えば、表示制御部４６１は、図６に示した表を、前述の操作画面に表示させる。図６は、ステップＳ２００において表示部４５に表示される表の一例を示す図である。図６に示した表では、検出対象核種情報と、ステップＳ１７０〜ステップＳ１９５の繰り返し処理において算出された計数であって当該検出対象核種情報が示す検出対象核種により放射される放射線の計数と、当該放射線の目標不確かさと、ステップＳ１７０〜ステップＳ１９５の繰り返し処理において算出された当該放射線の計数の不確かさと、当該放射線の計数の測定終了予定日時とが対応付けられている。当該放射線の計数の測定終了予定日時は、当該放射線の計数の不確かさが目標不確かさに到達すると推定される日時のことである。なお、表示制御部４６１は、当該表を操作画面に表示させる際、当該放射線の計数の不確かさの測定終了予定日時を、当該検出対象核種の半減期に基づいて算出する。図６に示した例では、検出対象核種Ａにより放射される放射線の目標不確かさ計数が１．０％であり、当該繰り返し処理において算出された当該放射線の計数の不確かさが２．６％であり、当該放射線の計数の測定終了予定日時が２０１６年１１月１６日１０時００分である。また、当該例では、検出対象核種Ｂにより放射される放射線の目標不確かさが１．０％であり、当該繰り返し処理において算出された当該放射線の計数の不確かさが４．５％であり、当該放射線の計数の測定終了予定日時が２０１６年１１月１６日１１時２０分である。
【００７７】
ステップＳ２００の処理が行われた後、判定部４６７は、ユーザーから予め受け付けた１以上の検出対象核種のそれぞれにより放射される放射線のすべてについて、ステップＳ１７０〜ステップＳ１９０の繰り返し処理において算出された放射線の計数の不確かさが目標不確かさ以下であるか否かを判定する（ステップＳ２１０）。当該１以上の検出対象核種のそれぞれにより放射される放射線の少なくとも１つ放射線について、当該繰り返し処理において算出された放射線の計数の不確かさが目標不確かさ以下ではないと判定した場合（ステップＳ２１０−ＮＯ）、判定部４６７は、記憶部４２に予め記憶された連続判定回数を示す変数を０に初期化する（ステップＳ２８０）。そして、測定制御部４６９は、ステップＳ１７０に遷移し、波高分析装置３が前回スペクトルを算出した時刻からモニター間隔が経過するまで待機する。測定制御部４６９は、当該時刻からモニター間隔が経過すると、現在の時刻までに検出部２から取得した複数の信号に基づいて波高分析装置３にスペクトルを算出させる。波高分析装置３は、算出したスペクトルを示す情報を制御装置４に出力する。スペクトル取得部４６３は、波高分析装置３から当該情報を取得する。一方、当該１以上の検出対象核種のそれぞれにより放射される放射線のすべてについて、当該繰り返し処理において算出された放射線の計数の不確かさが目標不確かさ以下であると判定した場合（ステップＳ２１０−ＹＥＳ）、判定部４６７は、記憶部４２に予め記憶された連続判定回数を示す変数に１を加算する（ステップＳ２２０）。
【００７８】
次に、測定制御部４６９は、記憶部４２に予め記憶された連続判定回数を示す変数が５以上であるか否かを判定する（ステップＳ２３０）。当該連続判定回数を示す変数が５以上ではないと判定した場合（ステップＳ２３０−ＮＯ）、測定制御部４６９は、ステップＳ１７０に遷移し、波高分析装置３が前回スペクトルを算出した時刻からモニター間隔が経過するまで待機する。測定制御部４６９は、当該時刻からモニター間隔が経過すると、現在の時刻までに検出部２から取得した複数の信号に基づいて波高分析装置３にスペクトルを算出させる。波高分析装置３は、算出したスペクトルを示す情報を制御装置４に出力する。スペクトル取得部４６３は、波高分析装置３から当該情報を取得する。一方、当該連続判定回数を示す変数が５以上であると判定した場合（ステップＳ２３０−ＹＥＳ）、測定制御部４６９は、検出部２からの信号の取得を波高分析装置３に終了させる（ステップＳ２４０）。
【００７９】
次に、測定制御部４６９は、測定期間の開始時刻から現在の時刻までに検出部２から取得した複数の信号に基づいて波高分析装置３にスペクトルを算出させる（ステップＳ２５０）。次に、測定制御部４６９は、波高分析装置３によるスペクトルの算出を終了させる（ステップＳ２５５）。
【００８０】
次に、計数算出部４６５は、ユーザーから予め受け付けた１以上の検出対象核種毎に、ステップＳ２７０の処理を繰り返し行う（ステップＳ２６０）。
【００８１】
計数算出部４６５は、ステップＳ２５０においてスペクトル取得部４６３が取得した情報が示すスペクトルに基づいて、ステップＳ２６０において選択された検出対象核種から放射される放射線の計数を算出する（ステップＳ２７０）。ここで、ステップＳ２７０の処理は、ステップＳ１９０の処理と同様の処理であるため、詳細な説明を省略する。そして、ステップＳ２６０〜ステップＳ２７０の繰り返し処理が行われた後、制御部４６は、処理を終了する。
【００８２】
なお、設定受付部４６２は、前述の目標不確かさ設定画面等の画面を介して、ユーザーから測定時間を受け付ける構成であってもよい。この場合、ステップＳ２３０の処理において（ステップＳ２３０−ＮＯ）であった場合、測定制御部４６９は、ステップＳ１７０に遷移する前に、測定期間の開始時刻から測定時間が経過したか否かを判定する。当該開始時刻から測定時間が経過していないと判定した場合、測定制御部４６９は、ステップＳ１７０に遷移する。一方、当該開始時刻から測定時間が経過したと判定した場合、測定制御部４６９は、ステップＳ２４０に遷移する。当該場合、ステップＳ２３０の処理において（ステップＳ２３０−ＮＯ）であるため、測定システム１は、ユーザーから予め受け付けた１以上の検出対象核種のそれぞれにより放射された放射線の計数のうちの一部の計数の不確かさが目標不確かさに到達しておらず、試料から放射される各種の放射線の再測定を行う必要がある。前述の測定システムＸでは、このような再測定は、ユーザーから当該再測定を開始させる操作を受け付けることによって開始される。
【００８３】
ここで、制御装置４は、このような再測定を自動で開始する構成であってもよい。例えば、制御装置４は、試料から放射される各種の放射線の１回目の測定において１以上の検出対象核種のそれぞれにより放射された放射線の計数のうちの一部の計数の不確かさが目標不確かさに到達していなかった場合、ユーザーからの操作を受け付けることなく（自動的に）、試料から放射される各種の放射線の２回目の測定を開始する。そして、制御装置４は、１以上の検出対象核種のそれぞれにより放射された放射線のそれぞれ毎に、当該１回目の測定によって算出された放射線の計数と、当該２回目の測定によって算出された放射線の計数とを合算する。
【００８４】
具体的には、制御装置４は、図７に示したフローチャートの処理を行うことにより、試料から放射された各種の放射線の再測定を自動で開始する。図７は、制御装置４が試料から放射される各種の放射線の再測定を行う処理の流れの一例を示す図である。ここで、前述した設定受付部４６２がユーザーから受け付ける測定時間は、例えば、測定期間の開始時刻から検出対象放射線の計数の不確かさが目標不確かさ以下になると推定される時間に基づいて算出され、当該時間よりも長い時間である。なお、当該測定時間は、測定期間の開始時刻から検出対象放射線の計数の不確かさが目標不確かさ以下になると推定される時間以下の時間であってもよい。
【００８５】
制御部４６が備える機能部のそれぞれは、図５に示したフローチャートの処理を第１計数算出処理として実行する（ステップＳ３１０）。次に、判定部４６７は、第１計数算出処理におけるステップＳ２３０において連続判定回数が５以上であると判定されたか否かを判定する（ステップＳ３２０）。ステップＳ３２０の処理は、ユーザーから予め受け付けた１以上の検出対象核種のそれぞれにより放射される放射線のすべてについて、ステップＳ１７０〜ステップＳ１９０の繰り返し処理において算出された放射線の計数の不確かさが目標不確かさ以下であるか否かを判定する処理である。以下では、説明の便宜上、第１計数算出処理におけるステップＳ２６０〜ステップＳ２７０において算出された各計数のことを、第１計数と称して説明する。当該ステップＳ２３０において連続判定回数が５以上であると判定されたと判定部４６７が判定した場合（ステップＳ３２０−ＹＥＳ）、制御部４６は、処理を終了する。一方、当該ステップＳ２３０において連続判定回数が５以上であると判定されていないと判定部４６７が判定した場合（ステップＳ３２０−ＮＯ）、制御部４６が備える機能部のそれぞれは、図５に示したフローチャートの処理を第２計数算出処理として実行する（ステップＳ３３０）。ここで、ステップＳ３３０において、制御装置４は、第１計数算出処理を実行した際に制御装置４に設定されていた各種の条件（すなわち、測定条件）を保持したまま第２計数算出処理を実行する。なお、第２計数算出処理では、制御装置４は、第１計数算出処理における測定時間よりも短い時間を第２計数算出処理における測定時間とする構成であってもよい。以下では、説明の便宜上、第２計数算出処理におけるステップＳ２６０〜ステップＳ２７０において算出された各計数のことを、第２計数と称して説明する。
【００８６】
次に、計数算出部４６５は、ユーザーから予め受け付けた１以上の検出対象核種のそれぞれにより放射される放射線のそれぞれ毎に、放射線の第１計数と、放射線の第２計数とを合算し、合算した値を新たな第１計数とする合算処理を行う（ステップＳ３４０）。そして、判定部４６７は、ステップＳ３２０に遷移し、ステップＳ３４０において連続判定回数が５以上であると判定されたか否かを再び判定する。
【００８７】
このように、制御装置４は、図７に示したフローチャートの処理を行うことにより、制御装置４が試料から放射される各種の放射線の再測定を行うことができる。その結果、制御装置４は、放射線の再測定に要する手間を軽減することができる。なお、制御装置４は、ステップＳ３２０〜ステップＳ３４０の処理が何らかの原因によって所定時間以上の間繰り返されてしまうことを抑制するため、ステップＳ３４０の処理が行われた後であってステップＳ３２０の処理が行われる前に、繰り返し終了条件が満たされたか否かを判定する構成であってもよい。所定時間は、例えば、前述の測定時間の５倍の時間である。なお、所定時間は、これに代えて、測定時間の５倍よりも短い時間であってもよく、測定時間の５倍よりも長い時間であってもよい。繰り返し終了条件は、例えば、第１計数算出処理における測定期間の開始時刻から現在の時刻までの経過時間であるリアルタイム経過時間が予め決められた第１上限値を超えること、第１計数算出処理に要した時間と第２計数算出処理に要した時間との合計時間であるライブタイム経過時間が予め決められた第２上限値を超えること、第２計数算出処理が行われた回数が予め決められた第３上限値を超えることの少なくとも１つを含む条件のことである。この場合、制御装置４は、繰り返し終了条件が複数の条件を含む場合、ユーザーにより選択された１以上の条件を含む繰り返し終了が満たされたか否かを判定する。また、当該場合、制御装置４は、繰り返し終了条件が満たされたか否かの判定を有効にするか無効にするかをユーザーから予め受け付ける構成であってもよい。
【００８８】
なお、上記において説明した判定部４６７は、ユーザーから予め受け付けた１以上の検出対象核種のそれぞれにより放射される放射線のすべてについて、算出された放射線の計数の不確かさが目標不確かさ以下であるか否かを判定する構成であったが、これに代えて、ユーザーから予め受け付けた１以上の検出対象核種のそれぞれにより放射される放射線のうちユーザーから受け付けた一部の放射線のすべてについて、算出された放射線の計数の不確かさが目標不確かさ以下であるか否かを判定する構成であってもよい。
【００８９】
また、上記において説明した計数算出部４６５は、コベル法に基づいて、あるＲＯＩ領域に対応する放射線の計数を算出する際、当該ＲＯＩ領域において当該放射線と異なる放射線のピークが現れた場合、当該ＲＯＩ領域の範囲を変更する構成であってもよい。
【００９０】
また、上記において説明した検出対象核種には、未知の核種が含まれる構成であってもよい。この場合、制御装置４は、波高分析装置３から取得した情報が示すスペクトルにおいて、未知の放射線のピークの出現を検出する。そして、制御装置４は、検出された当該ピークに対応するＲＯＩ領域を特定し、特定した当該ＲＯＩ領域における当該放射線の計数とともに当該計数の不確かさを算出する。制御装置４は、算出した当該計数が予め決められた第４上限値を超えた場合、未知の放射性核種によって試料が汚染されている可能性が高いため、未知の放射性核種によって試料が汚染されている可能性が高いことを示す情報を表示部４５に表示させる。また、制御装置４は、当該場合、波高分析装置３によるスペクトルの算出を終了させる。なお、未知の核種には、予め記憶部４２に記憶された核種の一覧を示す情報が示す当該一覧に含まれていない核種、波高分析装置３が有するチャンネルのうち前述の対応関係情報において対応するエネルギーが存在しないチャンネルの計数値に対応する放射線を放射する核種、放射する放射線のエネルギーとの対応が未知（不明）な核種の少なくとも１つが含まれる。制御装置４は、検出対象核種に未知の核種を含めるか否かをユーザーが選択可能な構成であってもよく、検出対象核種に未知の核種を含めるか否かを選択不可能な構成であってもよい。検出対象核種に未知の核種を含めるか否かを選択不可能な構成である場合、制御装置４は、検出対象核種に未知の核種を常に含める。
【００９１】
また、制御装置４は、上記において説明した測定時間を、上記において説明したステップＳ１１０〜ステップＳ２８０における任意のタイミングで変更可能な構成であってもよい。
【００９２】
以上説明したように、本実施形態における制御装置４は、検出部２により検出された放射線を示す信号に基づいて波高分析装置３により算出された当該放射線のスペクトルを用いて、検出対象核種から放射された放射線の計数の不確かさを算出し、算出した当該不確かさが目標不確かさ以下であるか否かを判定し、この判定結果に基づいて波高分析装置３によるスペクトルの算出を終了させる。これにより、制御装置４は、検出対象核種から放射される放射線の計数の不確かさが目標不確かさに到達するまでの時間が長くなることを抑制することができる。
【００９３】
また、制御装置４は、検出対象核種から放射される放射線の計数の不確かさを測定期間内における複数のタイミングにおいて算出し、当該計数の不確かさが目標不確かさ以下であると連続して所定回数判定した場合、波高分析装置３によるスペクトルの算出を終了させる。これにより、検出対象核種から放射される放射線の計数の不確かさが目標不確かさに到達するまでの時間が長くなることをより確実に抑制することができる。
【００９４】
また、制御装置４は、測定期間の開始時刻から、検出対象核種から放射される放射線の計数の不確かさが目標不確かさ以下になると推定される時間に基づく測定時間が経過した場合、波高分析装置３によるスペクトルの算出を終了させる。これにより、制御装置４は、検出対象核種から放射される放射線の計数の不確かさが何らかの原因によって目標不確かさ以下にならない場合であっても、波高分析装置３によるスペクトルの算出を終了させることができる。
【００９５】
また、制御装置４は、測定期間の開始時刻から測定時間が経過することによって波高分析装置３によるスペクトルの算出を終了させた場合、且つ、検出対象核種から放射される放射線の計数の不確かさが目標不確かさより大きいと判定した場合、波高分析装置３によるスペクトルの算出を再開させる。これにより、制御装置４は、試料から放射される放射線の再測定に要する手間を軽減することができる。
【００９６】
また、制御装置４は、測定期間の開始時刻から、検出対象核種から放射される放射線の計数の不確かさが目標不確かさ以下になると推定される時間に基づく測定時間であって当該時間よりも長い測定時間が経過した場合、波高分析装置３によるスペクトルの算出を終了させる。これにより、制御装置４は、検出対象核種から放射される放射線の計数の不確かさが何らかの原因によって目標不確かさ以下にならない場合であっても、波高分析装置３によるスペクトルの算出を終了させることができる。
【００９７】
また、制御装置４は、互いに異なる複数の検出対象核種を予め受け付け、受け付けた複数の検出対象核種のそれぞれから放射された放射線毎の計数の不確かさを算出し、複数の検出対象核種毎に、検出対象核種から放射された放射線の計数の不確かさが、当該放射線に応じた目標不確かさ以下であるか否かを判定し、複数の検出対象核種それぞれの放射線すべてについて、検出対象核種から放射された放射線の計数の不確かさが、当該放射線に応じた目標不確かさ以下であると判定した場合、波高分析装置３によるスペクトルの算出を終了させる。これにより、制御装置４は、複数の検出対象核種それぞれから放射される放射線のすべてについて、測定期間内において検出部２により検出される放射線の計数の不確かさが目標不確かさより大きくなることを抑制することができる。
【００９８】
また、測定システム１は、測定システム１が備える検出部２により検出された放射線を示す信号に基づいて波高分析装置３により算出された当該放射線のスペクトルを用いて、検出対象核種から放射された放射線の計数の不確かさを測定期間内における複数のタイミングにおいて算出し、算出した当該不確かさが目標不確かさ以下であるか否かを判定し、この判定結果に基づいて波高分析装置３によるスペクトルの算出を終了させる。これにより、測定システム１は、検出対象核種から放射される放射線の計数の不確かさが目標不確かさに到達するまでの時間が長くなることを抑制することができる。
【００９９】
また、測定システム１は、測定システム１が備える検出部により検出された放射線を示す信号に基づいて、測定システム１が備える波高分析装置３により算出された当該放射線のスペクトルを用いて、検出対象核種から放射された放射線の計数の不確かさを算出し、算出した当該不確かさが目標不確かさ以下であるか否かを判定し、この判定結果に基づいて波高分析装置３によるスペクトルの算出を終了させる。これにより、測定システム１は、検出対象核種から放射される放射線の計数の不確かさが目標不確かさに到達するまでの時間が長くなることを抑制することができる。
【０１００】
以上、この発明の実施形態を、図面を参照して詳述してきたが、具体的な構成はこの実施形態に限られるものではなく、この発明の要旨を逸脱しない限り、変更、置換、削除等されてもよい。
【０１０１】
また、以上に説明した装置（例えば、制御装置４）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Operating  System）や周辺機器等のハードウェアを含むものとする。また、「コンピューター読み取り可能な記録媒体」とは、フレキシブルディスク、光磁気ディスク、ＲＯＭ、ＣＤ（Compact  Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ）のように、一定時間プログラムを保持しているものも含むものとする。
【０１０２】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【０１０３】
１…測定システム、２…検出部、３…波高分析装置、４…制御装置、４２…記憶部、４３…入力受付部、４４…通信部、４５…表示部、４６…制御部、４６１…表示制御部、４６２…設定受付部、４６３…スペクトル取得部、４６５…計数算出部、４６６…不確かさ算出部、４６７…判定部、４６９…測定制御部
【図１】
2018151213.tif 000004
【図２】
2018151213.tif 000005
【図３】
2018151213.tif 000006
【図４】
2018151213.tif 000007
【図５】
2018151213.tif 000008
【図６】
2018151213.tif 000009
【図７】
2018151213.tif 000010